【手続補正書】
【提出日】平成23年12月13日(2011.12.13)
【手続補正１】
【補正対象書類名】特許請求の範囲
【補正対象項目名】全文
【補正方法】変更
【補正の内容】
【特許請求の範囲】
【請求項１】
ユーザの指示により印刷ジョブを送信する情報処理装置と、前記情報処理装置より送信される印刷ジョブの印刷を行う印刷装置と通信可能な印刷制御装置であって、
前記印刷ジョブおよび当該印刷ジョブの印刷指示をしたユーザ情報とを紐付けて記憶し、当該印刷ジョブの前記印刷装置での印刷順序を管理する印刷ジョブ管理手段と、
前記印刷ジョブ管理手段で印刷順序を管理する印刷ジョブのうち、当該印刷順序に従って１つの印刷ジョブを印刷対象候補として決定する印刷ジョブ決定手段と、
前記印刷ジョブ決定手段で印刷対象候補として決定した前記印刷ジョブを所定の条件に基づいて印刷指示が可能であるか否かを判定する連続印刷判定手段と、
前記連続印刷判定手段で、前記印刷ジョブ決定手段で印刷対象候補として決定した前記印刷ジョブの印刷指示が可能であると判定された場合、当該印刷ジョブの印刷指示をしたユーザが前記情報処理装置にログインしているか否かに関わらず前記印刷装置に対して印刷指示を行う印刷指示手段と、
前記印刷ジョブの印刷指示をしたユーザが前記情報処理装置にログインしていることを確認する確認手段とを備え、
前記印刷指示手段は、前記連続印刷判定手段で、所定の条件に基づいて判定された結果前記印刷ジョブ決定手段で印刷対象候補として決定した前記印刷ジョブの印刷指示が可能ではない場合には、前記確認手段により当該印刷ジョブの印刷指示をしたユーザが前記情報処理装置にログインしていることが確認されることにより前記印刷装置に対する印刷指示を実行することを特徴とする印刷制御装置。
【請求項２】
前記確認手段は、前記印刷ジョブ決定手段で印刷対象候補として決定した第一の印刷ジョブに紐付いて記憶される前記ユーザ情報を用いることにより、当該第一の印刷ジョブの印刷指示をしたユーザが前記情報処理装置にログインしていることを確認し、前記確認手段により、前記第一の印刷ジョブの印刷指示をした前記ユーザが前記情報処理装置にログインしていることが確認された場合に、当該第一の印刷ジョブを前記印刷装置に送信する印刷ジョブ送信手段を更に備え、
前記連続印刷判定手段は、前記第一の印刷ジョブの印刷指示をしたユーザの前記ユーザ識別情報と、前記印刷ジョブ送信手段で前記印刷装置に送信した前記第一の印刷ジョブの次の印刷対象候補として前記印刷ジョブ決定手段で決定した第二の印刷ジョブを印刷指示をしたユーザのユーザ識別情報とが同一であるか否かを判定するユーザ情報判定手段を備え、
前記印刷指示手段は、前記ユーザ情報判定手段で前記第一のジョブの印刷指示をしたユーザのユーザ情報と、前記第二の印刷ジョブの印刷指示をしたユーザのユーザ情報とが同一であると判定した場合に、当該第二の印刷ジョブの印刷指示をしたユーザが前記情報処理装置にログインしているか否かに関わらず前記印刷装置に対して印刷指示を行い、一方、前記ユーザ情報判定手段で前記第一のジョブの印刷指示をしたユーザのユーザ情報と、前記第二の印刷ジョブの印刷指示をしたユーザのユーザ情報とが同一ではないと判定した場合に、印刷指示をする印刷ジョブとして前記印刷装置に対して印刷指示を行わず、
前記確認手段は、前記ユーザ情報判定手段で前記第一のジョブの印刷指示をしたユーザのユーザ情報と、前記第二の印刷ジョブの印刷指示をしたユーザのユーザ情報とが同一ではないと判定した場合に、前記第二の印刷ジョブの印刷指示をしたユーザが前記情報処理装置にログインしていることを確認することを特徴とする請求項１に記載の印刷制御装置。
【請求項３】
前記確認手段で前記ユーザが前記情報処理装置にログインしていることが確認できた前記第一の印刷ジョブの識別情報を記憶する識別情報記憶手段を更に備え、
前記識別情報記憶手段は、前記印刷ジョブの印刷指示をしたユーザのユーザ識別情報と、該印刷ジョブのジョブ名を示す情報と、該印刷ジョブを生成したユーザのユーザ識別情報を最後に確認した時刻を示す情報と含む識別情報を記憶し、
前記連続印刷判定手段は、前記未送信の印刷ジョブを生成したユーザが前記情報処理装置にログインしているか否かに関わらず印刷指示を行う際に、前記識別情報記憶手段で記憶した前記印刷ジョブを生成したユーザのユーザ識別情報と、前記印刷ジョブ決定手段で決定した未送信の印刷ジョブを生成したユーザのユーザ識別情報とが同一であるか否かを判定することを特徴とする請求項1または２に記載の印刷制御装置。
【請求項４】
前記印刷ジョブ管理手段で管理されている印刷ジョブ毎に、当該印刷ジョブの送信元である前記情報処理装置と、当該印刷ジョブのユーザを識別する情報とを対応付けて管理するユーザ管理手段を更に備え、
前記確認手段は、前記情報処理装置が備える読取部で記憶媒体に記憶されている前記ユーザ識別情報を読み取ることにより、前記ユーザがログインしていることを判定することを特徴とする請求項１乃至３のいずれか１項に記載の印刷制御装置。
【請求項５】
前記連続印刷判定手段は、前記印刷ジョブの印刷指示をしたユーザの前記情報処理装置へのログインを最後に確認した時刻と、前記印刷ジョブが前記情報処理装置に送信された時刻とを比較することにより、当該２つの時刻間の差異が所定の時間内であるか否かを判定する時刻判定手段を備え、
前記印刷指示手段は、前記時刻判定手段で前記２つの時刻間の差異が所定の時間内であると判定された場合に、前記印刷ジョブの印刷指示をしたユーザが前記情報処理装置にログインしているか否かに関わらず前記印刷装置に対して印刷指示を行うことを特徴とする請求項１乃至４のいずれか１項に記載の印刷制御装置。
【請求項６】
前記印刷指示手段は、前記時刻判定手段で前記２つの時刻間の差異が所定の時間内ではないと判定された場合に、前記確認手段で前記印刷ジョブの印刷指示をしたユーザが前記情報処理装置にログインしていることを判定することを特徴とする請求項５に記載の印刷制御装置。
【請求項７】
ユーザの認証情報を記憶した記憶媒体からユーザ情報を受付可能な読取装置を有する情報処理装置と通信可能な印刷装置であって、
前記印刷ジョブおよび当該印刷ジョブの印刷指示をしたユーザ情報とを紐付けて記憶し、当該印刷ジョブの前記印刷装置での印刷順序を管理する印刷ジョブ管理手段と、
前記印刷ジョブ管理手段で印刷順序を管理する印刷ジョブのうち、当該印刷順序に従って１つの印刷ジョブを印刷対象候補として決定する印刷ジョブ決定手段と、
前記印刷ジョブ決定手段で印刷対象候補として決定した前記印刷ジョブを所定の条件に基づいて印刷指示が可能であるか否かを判定する連続印刷判定手段と、
前記連続印刷判定手段で、前記印刷ジョブ決定手段で印刷対象候補として決定した前記印刷ジョブを連続して印刷可能であると判定された場合、当該印刷ジョブの印刷指示をしたユーザが前記情報処理装置にログインしているか否かに関わらず前記印刷装置に対して印刷を行う印刷手段と
前記印刷ジョブの印刷指示をしたユーザが前記情報処理装置にログインしていることを確認する確認手段とを備え、
前記印刷指示手段は、前記連続印刷判定手段で、所定の条件に基づいて判定された結果前記印刷ジョブ決定手段で印刷対象候補として決定した前記印刷ジョブの印刷指示が可能ではない場合には、前記確認手段により当該印刷ジョブの印刷指示をしたユーザが前記情報処理装置にログインしていることが確認されることにより前記印刷装置に対する印刷指示を実行することを特徴とする印刷装置。
【請求項８】
ユーザの指示により印刷ジョブを送信する情報処理装置と、前記情報処理装置より送信される印刷ジョブの印刷を行う印刷装置と通信可能であり、前記印刷ジョブおよび当該印刷ジョブの印刷指示をしたユーザ情報とを紐付けて記憶し、当該印刷ジョブの前記印刷装置での印刷順序を管理する印刷ジョブ管理手段を備える印刷制御装置の制御方法であって、
前記印刷制御装置の印刷ジョブ決定手段が、前記印刷ジョブ管理手段で印刷順序を管理する印刷ジョブのうち、当該印刷順序に従って１つの印刷ジョブを印刷対象候補として決定する印刷ジョブ決定ステップと、
前記印刷制御装置の連続印刷判定手段が、前記印刷ジョブ決定ステップで印刷対象候補として決定した前記印刷ジョブを所定の条件に基づいて印刷指示が可能であるか否かを判定する連続印刷判定ステップと、
前記印刷制御装置の印刷指示ステップが、前記連続印刷判定ステップで、前記印刷ジョブ決定ステップで印刷対象候補として決定した前記印刷ジョブの印刷指示が可能であると判定された場合、当該印刷ジョブの印刷指示をしたユーザが前記情報処理装置にログインしているか否かに関わらず前記印刷装置に対して印刷指示を行う印刷指示ステップと、
前記印刷制御装置の確認手段が、前記印刷ジョブの印刷指示をしたユーザが前記情報処理装置にログインしていることを確認する確認ステップと含み、
前記印刷指示ステップは、前記連続印刷判定ステップで、所定の条件に基づいて判定された結果前記印刷ジョブ決定ステップで印刷対象候補として決定した前記印刷ジョブの印刷指示が可能ではない場合には、前記確認ステップにより当該印刷ジョブの印刷指示をしたユーザが前記情報処理装置にログインしていることが確認されることにより前記印刷装置に対する印刷指示を実行することを特徴とするの制御方法。
【請求項９】
ユーザの指示により印刷ジョブを送信する情報処理装置と、前記情報処理装置より送信される印刷ジョブの印刷を行う印刷装置と通信可能であり、前記印刷ジョブおよび当該印刷ジョブの印刷指示をしたユーザ情報とを紐付けて記憶し、当該印刷ジョブの前記印刷装置での印刷順序を管理する印刷ジョブ管理手段を備える印刷制御装置を制御するプログラムであって、
前記印刷制御装置を、
前記印刷ジョブ管理手段で印刷順序を管理する印刷ジョブのうち、当該印刷順序に従って１つの印刷ジョブを印刷対象候補として決定する印刷ジョブ決定手段と、
前記印刷ジョブ決定手段で印刷対象候補として決定した前記印刷ジョブを所定の条件に基づいて印刷指示が可能であるか否かを判定する連続印刷判定手段と、
前記連続印刷判定手段で、前記印刷ジョブ決定手段で印刷対象候補として決定した前記印刷ジョブの印刷指示が可能であると判定された場合、当該印刷ジョブの印刷指示をしたユーザが前記情報処理装置にログインしているか否かに関わらず前記印刷装置に対して印刷指示を行う印刷指示手段と、
前記印刷ジョブの印刷指示をしたユーザが前記情報処理装置にログインしていることを確認する確認手段として機能させ
前記印刷指示手段を、前記連続印刷判定手段で、所定の条件に基づいて判定された結果前記印刷ジョブ決定手段で印刷対象候補として決定した前記印刷ジョブの印刷指示が可能ではない場合には、前記確認手段により当該印刷ジョブの印刷指示をしたユーザが前記情報処理装置にログインしていることが確認されることにより前記印刷装置に対する印刷指示を実行させることを特徴とするコンピュータで読み取り実行可能なプログラム。
【請求項１０】
ユーザの認証情報を記憶した記憶媒体からユーザ情報を受付可能な読取装置を有する情報処理装置と通信可能であり、前記印刷ジョブおよび当該印刷ジョブの印刷指示をしたユーザ情報とを紐付けて記憶し、当該印刷ジョブの前記印刷装置での印刷順序を管理する印刷ジョブ管理手段を備える印刷装置の制御方法であって、
前記印刷装置の印刷ジョブ決定手段が、前記印刷ジョブ管理手段で印刷順序を管理する印刷ジョブのうち、当該印刷順序に従って１つの印刷ジョブを印刷対象候補として決定する印刷ジョブ決定手段と、
前記印刷装置の印刷ジョブ決定手段が、前記印刷ジョブ管理手段で印刷順序を管理する印刷ジョブのうち、当該印刷順序に従って１つの印刷ジョブを印刷対象候補として決定する印刷ジョブ決定ステップと、
前記印刷装置の連続印刷判定手段が、前記印刷ジョブ決定ステップで印刷対象候補として決定した前記印刷ジョブを所定の条件に基づいて印刷指示が可能であるか否かを判定する連続印刷判定ステップと、
前記印刷装置の印刷指示ステップが、前記連続印刷判定ステップで、前記印刷ジョブ決定ステップで印刷対象候補として決定した前記印刷ジョブの印刷指示が可能であると判定された場合、当該印刷ジョブの印刷指示をしたユーザが前記情報処理装置にログインしているか否かに関わらず前記印刷装置に対して印刷指示を行う印刷指示ステップと、
前記印刷装置の確認手段が、前記印刷ジョブの印刷指示をしたユーザが前記情報処理装置にログインしていることを確認する確認ステップと含み、
前記印刷指示ステップは、前記連続印刷判定ステップで、所定の条件に基づいて判定された結果前記印刷ジョブ決定ステップで印刷対象候補として決定した前記印刷ジョブの印刷指示が可能ではない場合には、前記確認ステップにより当該印刷ジョブの印刷指示をしたユーザが前記情報処理装置にログインしていることが確認されることにより前記印刷装置に対する印刷指示を実行することを特徴とするの制御方法。
【請求項１１】
ユーザの指示により印刷ジョブを送信する情報処理装置と、前記情報処理装置より送信される印刷ジョブの印刷を行う印刷装置と通信可能であり、前記印刷ジョブおよび当該印刷ジョブの印刷指示をしたユーザ情報とを紐付けて記憶し、当該印刷ジョブの前記印刷装置での印刷順序を管理する印刷ジョブ管理手段を備える印刷装置を制御するプログラムであって、
前記印刷装置を、
前記印刷ジョブ管理手段で印刷順序を管理する印刷ジョブのうち、当該印刷順序に従って１つの印刷ジョブを印刷対象候補として決定する印刷ジョブ決定手段と、
前記印刷ジョブ決定手段で印刷対象候補として決定した前記印刷ジョブを所定の条件に基づいて印刷指示が可能であるか否かを判定する連続印刷判定手段と、
前記連続印刷判定手段で、前記印刷ジョブ決定手段で印刷対象候補として決定した前記印刷ジョブの印刷指示が可能であると判定された場合、当該印刷ジョブの印刷指示をしたユーザが前記情報処理装置にログインしているか否かに関わらず前記印刷装置に対して印刷指示を行う印刷指示手段と、
前記印刷ジョブの印刷指示をしたユーザが前記情報処理装置にログインしていることを確認する確認手段として機能させ
前記印刷指示手段を、前記連続印刷判定手段で、所定の条件に基づいて判定された結果前記印刷ジョブ決定手段で印刷対象候補として決定した前記印刷ジョブの印刷指示が可能ではない場合には、前記確認手段により当該印刷ジョブの印刷指示をしたユーザが前記情報処理装置にログインしていることが確認されることにより前記印刷装置に対する印刷指示を実行させることを特徴とするコンピュータで読み取り実行可能なプログラム。
【手続補正２】
【補正対象書類名】明細書
【補正対象項目名】０００８
【補正方法】変更
【補正の内容】
【０００８】
本発明の目的は、印刷対象候補となる印刷ジョブの印刷指示をしたユーザのログイン状況が所定の条件に合致する場合に、ユーザがログインしているか否かに関わらず、効率的な印刷制御を実行する仕組みを提供することである。
【手続補正３】
【補正対象書類名】明細書
【補正対象項目名】０００９
【補正方法】変更
【補正の内容】
【０００９】
即ち本発明は、ユーザの指示により印刷ジョブを送信する情報処理装置と、前記情報処理装置より送信される印刷ジョブの印刷を行う印刷装置と通信可能な印刷制御装置であって、前記印刷ジョブおよび当該印刷ジョブの印刷指示をしたユーザ情報とを紐付けて記憶し、当該印刷ジョブの前記印刷装置での印刷順序を管理する印刷ジョブ管理手段と、前記印刷ジョブ管理手段で印刷順序を管理する印刷ジョブのうち、当該印刷順序に従って１つの印刷ジョブを印刷対象候補として決定する印刷ジョブ決定手段と、前記印刷ジョブ決定手段で印刷対象候補として決定した前記印刷ジョブを所定の条件に基づいて印刷指示が可能であるか否かを判定する連続印刷判定手段と、前記連続印刷判定手段で、前記印刷ジョブ決定手段で印刷対象候補として決定した前記印刷ジョブの印刷指示が可能であると判定された場合、当該印刷ジョブの印刷指示をしたユーザが前記情報処理装置にログインしているか否かに関わらず前記印刷装置に対して印刷指示を行う印刷指示手段と、前記印刷ジョブの印刷指示をしたユーザが前記情報処理装置にログインしていることを確認する確認手段とを備え、前記印刷指示手段は、前記連続印刷判定手段で、所定の条件に基づいて判定された結果前記印刷ジョブ決定手段で印刷対象候補として決定した前記印刷ジョブの印刷指示が可能ではない場合には、前記確認手段により当該印刷ジョブの印刷指示をしたユーザが前記情報処理装置にログインしていることが確認されることにより前記印刷装置に対する印刷指示を実行することを特徴とする。
【手続補正４】
【補正対象書類名】明細書
【補正対象項目名】００１０
【補正方法】変更
【補正の内容】
【００１０】
本発明によれば、印刷対象候補となる印刷ジョブの印刷指示をしたユーザのログイン状況が所定の条件に合致する場合に、ユーザがログインしているか否かに関わらず、効率的な印刷制御を実行する仕組みを提供することが可能である。